(57)【要約】【課題】軽量で且つ自重による衝撃を緩和することができる放射性物質の輸送兼貯蔵容器を提供する。【解決手段】内胴部１０と外胴部１９との間にガンマ線遮蔽層２０及び中性子遮蔽層２１が設けられている放射性物質の輸送兼貯蔵容器１である。内胴部１０の一端面に内胴部１０と同心に固定され、内胴部１０の内径よりも大きく、且つ外胴部１９の外径よりも小さい外径を有する底板１１と、内胴部１０と同心に底板１１から内胴部１０と反対方向へ延設され、且つ外胴部１９の外径よりも小さい外径を軸方向の外側端面にて有する筒状のサポート部１２とを備えている放射性物質の輸送兼貯蔵容器１。【選択図】図１
2008076270.tif 000002
【特許請求の範囲】
【請求項１】
内胴部と外胴部との間にガンマ線遮蔽層及び中性子遮蔽層が設けられている放射性物質の輸送兼貯蔵容器であって、
前記内胴部の一端面に前記内胴部と同心に固定され、前記内胴部の内径よりも大きく、且つ前記外胴部の外径よりも小さい外径を有する底板と、
前記内胴部と同心に前記底板から前記内胴部と反対方向へ延設され、且つ前記外胴部の外径よりも小さい外径を軸方向の外側端面にて有する筒状のサポート部とを備えていることを特徴とする、放射性物質の輸送兼貯蔵容器。
【請求項２】
前記サポート部内部には、前記サポート部の内径とほぼ同一の径を有する板状の底部中性子遮蔽層と底部中性子遮蔽層カバーとが前記底板側からこの順に収められており、
前記底部中性子遮蔽層の単位体積当たりの水素含有率が、前記底板の前記水素含有率よりも大きく、
軸方向における前記底部中性子遮蔽層カバーの外側の端面位置が、前記サポート部の端面位置に対して凹んだ位置にあることを特徴とする、請求項１に記載の放射性物質の輸送兼貯蔵容器。
【請求項３】
前記サポート部の内径が、前記内胴部の外径よりも小さく、
前記サポート部の外径が、前記ガンマ線遮蔽層の内径より大きいことを特徴とする、請求項１又は請求項２に記載の放射性物質の輸送兼貯蔵容器。
【請求項４】
前記ガンマ線遮蔽層及び前記中性子遮蔽層のうちの少なくともいずれかが、周方向に複数に分割されたブロック体で形成されるとともに、互いに周方向で隣接する前記ブロック体同士の間に熱良導体が挟まれていることを特徴とする、請求項１乃至請求項３のいずれか１項に記載の放射性物質の輸送兼貯蔵容器。
【請求項５】
前記ブロック体が、軸方向に複数に分割されるとともに、互いに軸方向で隣接する前記ブロック同士の当接面が傾斜面又は凹凸が噛み合う凹凸面に形成されていることを特徴とする、請求項４に記載の放射性物質の輸送兼貯蔵容器。
【請求項６】
前記ガンマ線遮蔽層が、鉛、鉛合金、鉄、炭素鋼、及びステンレス鋼のうちのいずれかの材料からなることを特徴とする、請求項１乃至請求項５のいずれか１項に記載の放射性物質の輸送兼貯蔵容器。
【発明の詳細な説明】
【技術分野】
【０００１】
本発明は放射線遮蔽機能を有する放射性物質の輸送兼貯蔵容器に関する。
【背景技術】
【０００２】
原子力発電所等で発生する使用済核燃料等の放射性物質（以下、放射性物質と記す）の輸送兼貯蔵容器（以下、容器と記す）は、放射性物質を閉じ込めるための密封機能、使用済核燃料に若干残存するウラン２３５の核分裂による臨界を防止するための臨界防止機能、放射性物質の崩壊熱を逃がし容器の構成部材や使用済核燃料等の温度を適切に下げるための除熱機能、及びガンマ線や中性子を遮蔽し、容器外部の線量率を下げて放射線被曝を防止するための遮蔽機能、の４つの安全機能が要求される。
【０００３】
そして、容器は、落下事故や火災事故などの事象においてこれらの安全機能を維持するための構造強度が要求され、落下衝突条件、耐火条件、浸漬条件など規定で定められた条件下での基準を満足する容器である必要がある。
【０００４】
従来、放射性物質の収納効率を高め、伝熱性能に優れるとともに、ガンマ線や中性子を効果的に遮蔽するための容器が開示されている（例えば、特許文献１参照）。この特許文献１に記載の容器は、内胴部と外胴部との間にガンマ線遮蔽層及び中性子遮蔽層が設けられるとともに、これらガンマ線遮蔽層及び中性子遮蔽層を貫通して且つ内胴及び外胴に取り付けて熱良導体が設けられている容器である。
【０００５】
【特許文献１】特許第３３４２９９４号公報
【発明の開示】
【発明が解決しようとする課題】
【０００６】
ところで、特許文献１に開示されているような筒状の従来の容器は、その胴部、底部及び蓋部は炭素鋼などの金属部材から構成されている。そして、ガンマ線の遮蔽性能に優れた鉛などを材料とするガンマ線遮蔽層が設けられることにより、内胴部の厚さを薄くすることができ容器の軽量化を図ることができる。また、ガンマ線遮蔽層及び中性子遮蔽層を貫通する熱良導体が設けられていることにより、伝熱性能に優れる。さらに、ガンマ線遮蔽層に鉛ブロックを使用することで、鉛鋳込み作業の際に必要ないわゆるホモゲン処理を行う必要がない点で製造も容易である。
【０００７】
尚、ホモゲン処理とは、伝熱性能を向上させることを目的に、鉛層を内胴の外面に密着させるための処理であり、内胴の外面に塩化亜鉛等を含むフラックスを塗布した後、鉛系の溶化剤を溶解塗布するものである。その後、内胴と外胴との間に鉛が鋳込まれる。
【０００８】
しかしながら、この従来の容器は、その外径が頭部から底部までほぼ均一であるために、底部コーナー部は金属性本体の遮蔽厚さが過剰で容器の重量が過大となっている。言うまでもなく、一般に重量が大きくなるこのような容器においては、容器の取り扱いを容易にするために、容器は軽量であることが望ましく、重量増加につながる金属部材は少ない方がよい。
【０００９】
また、この容器は、その底部形状が殆ど凹凸のない平面となっている。加えて、床面と接触する底部外径は、容器の外胴部外径とほぼ同じであり床と接触する面積が大きい。よって、容器と床面とが軸方向で衝突する場合に容器や放射性物質へ与える衝撃が大きくなる。
【００１０】
本発明は、上記実情に鑑みてなされたものであって、その目的は、軽量で且つ自重による衝撃を緩和することができる放射性物質の輸送兼貯蔵容器を提供することにある。
【課題を解決するための手段及び効果】
【００１１】
本発明に係る放射性物質の輸送兼貯蔵容器は、内胴部と外胴部との間にガンマ線遮蔽層及び中性子遮蔽層が設けられている放射性物質の輸送兼貯蔵容器に関する。そして、本発明に係る放射性物質の輸送兼貯蔵容器は、上記目的を達成するために以下のようないくつかの特徴を有している。すなわち、本発明の放射性物質の輸送兼貯蔵容器は、以下の特徴を単独で、若しくは、適宜組み合わせて備えている。
【００１２】
上記目的を達成するための本発明に係る放射性物質の輸送兼貯蔵容器における第１の特徴は、前記内胴部の一端面に前記内胴部と同心に固定され、前記内胴部の内径よりも大きく、且つ前記外胴部の外径よりも小さい外径を有する底板と、前記内胴部と同心に前記底板から前記内胴部と反対方向へ延設され、且つ前記外胴部の外径よりも小さい外径を軸方向の外側端面にて有する筒状のサポート部とを備えていることである。
【００１３】
この構成によると、底部外径が外胴部の外径とほぼ同じとなるような従来の容器と比較して、重量増加につながる金属部材を少なくすることができ、容器の軽量化を図ることができる。また、従来の容器と比較して、床と接触する底面積が小さくなる。このため、容器と床面とが軸方向で衝突する場合の衝撃を緩和することができ、容器や容器に収められている放射性物質の損傷が少ない放射性物質の輸送兼貯蔵容器が得られる。
【００１４】
また、容器と床面とが軸方向で衝突する場合、放射性物質が収められている内胴部を底板で効果的に支持することができるため、構造面においても優れている。
【００１５】
さらに、底部に設けられたサポート部を利用して容器の底部に環状の緩衝体を取り付けることが容易となり、容器の軸方向が水平な状態で落下する水平落下時、このサポート部は緩衝体を介して容器荷重を受ける領域の確保にも寄与する。
【００１６】
また、本発明に係る放射性物質の輸送兼貯蔵容器における第２の特徴は、前記サポート部内部には、前記サポート部の内径とほぼ同一の径を有する板状の底部中性子遮蔽層と底部中性子遮蔽層カバーとが前記底板側からこの順に収められており、前記底部中性子遮蔽層の単位体積当たりの水素含有率が、前記底板の前記水素含有率よりも大きく、軸方向における前記底部中性子遮蔽層カバーの外側の端面位置が、前記サポート部の端面位置に対して凹んだ位置にあることである。
【００１７】
この構成によると、底部中性子遮蔽層が中性子を遮蔽するので、容器表面の線量当量率を低減できる。また、底部のサポート部端面のみが設置面となるために、底部中性子遮蔽層カバーの外側端面とサポート部の端面が同一平面上にある場合に比べて、さらに接地底面積が小さくなり、容器と床面とが軸方向で衝突する場合の衝撃を緩和することができる。
【００１８】
また、本発明に係る放射性物質の輸送兼貯蔵容器における第３の特徴は、前記サポート部の内径が、前記内胴部の外径よりも小さく、前記サポート部の外径が、前記ガンマ線遮蔽層の内径より大きいことである。
【００１９】
この構成によると、底部のサポート部を、容器と床面とが軸方向で衝突する場合に、衝撃による荷重を受けることができる必要最小限の径とすることができ、容器の重量を低減できる。また、ガンマ線遮蔽層は密度の高い材料からなるため、ガンマ線遮蔽層を効果的に支持することができ、構造面においても優れている。
【００２０】
また、本発明に係る放射性物質の輸送兼貯蔵容器における第４の特徴は、前記ガンマ線遮蔽層及び前記中性子遮蔽層のうちの少なくともいずれかが、周方向に複数に分割されたブロック体で形成されるとともに、互いに周方向で隣接する前記ブロック体同士の間に熱良導体が挟まれていることである。
【００２１】
この構成によると、ブロック状に形成された遮蔽層を、容器本体の製造とは別工程で、並行して製造することができ、製造時間の短縮が可能となる。尚、従来の容器では、特に中性子遮蔽層を容器本体に鋳込むことにより製造されることが多く、このような並行作業を行うことができなかった。また、容器の使用期間が終わった際には、ブロック状に形成された遮蔽層を容易に取り除くことができ、解体及びリサイクルが容易である。
【００２２】
また、放射性物質の崩壊熱は、ブロック体同士の間に挟まれた熱良導体によって内胴部から外胴部に向かって効率良く伝熱されるため、除熱を促すことができる。
【００２３】
また、本発明に係る放射性物質の輸送兼貯蔵容器における第５の特徴は、前記ブロック体が、軸方向に複数に分割されるとともに、互いに軸方向で隣接する前記ブロック同士の当接面が傾斜面又は凹凸が噛み合う凹凸面に形成されていることである。
【００２４】
この構成によると、さらに分割されたブロック状の遮蔽層となるので、遮蔽層の製造が容易になるとともに、容器への取り付けもし易くなる。また、ブロック体同士が傾斜面又は凹凸面で当接することにより、放射線のストリーミングを低減することができる。
【００２５】
また、本発明に係る放射性物質の輸送兼貯蔵容器における第６の特徴は、前記ガンマ線遮蔽層が、鉛、鉛合金、鉄、炭素鋼、及びステンレス鋼のうちのいずれかの材料からなることである。
【００２６】
この構成によると、ガンマ線遮蔽層としては比較的高密度の材料が有効であり、上記いずれかの材料を用いることによりガンマ線の遮蔽性能を向上させることができる。
【発明を実施するための最良の形態】
【００２７】
以下、本発明を実施するための最良の形態について図面を参照しつつ説明する。
【００２８】
最初に、このような容器は、通常、軸方向の両端（頭部及び底部）に緩衝体が固定された状態で輸送され、軸方向についての衝撃から容器が保護されている。また、緩衝体の外径は容器の最大外径よりも大きく設計されており、径方向についての衝撃からも容器が保護されるようになっている。一方で、貯蔵施設や原子力発電所等では、緩衝体を装着していない状態で、クレーン等により容器を高く持ち上げて移動させる場合がある。このような場合の事故事象としてコンクリート床面への異常着床がある。これは、容器をクレーン等でハンドリング中に、本来ゆっくりと衝撃を与えないように床面に着床させるところを誤って衝撃を与えるような着床をさせた場合を想定したものであり、この事象が異常着床と呼ばれている。
【００２９】
このような異常着床の際に、容器と床との衝突により容器に生じる加速度α[ｍ／ｓ２]は以下の数式（１）〜（６）のように仮定した条件の下で、これらの計算により数式（７）のように表わすことができる。ここで、容器と床面とは、容器の軸方向と床面とが直交するように衝突するものとする。
（１）  Ｅｋ=１／２・Ｗ・Ｖ２
（２）  Ｅｓ=１／２・Ｋ・δ２
（３）  Ｅｓ＝Ｅｋ
（４）  δ＝ε・Ｌ
（５）  Ｋ＝Ｅ・Ａ／Ｌ
（６）  α＝Ｆ／Ｗ＝ε・Ｅ・Ａ／Ｗ
（７）  α＝Ｖ・（（Ｅ・Ａ）／（Ｗ・Ｌ））１／２
ここで、各変数は以下の通りである。
Ｅｋ：異常着床時の容器の運動エネルギー［Ｊ］
Ｅｓ：床部材の歪エネルギー［Ｊ］
Ｆ：異常着床時に容器に生じる力［Ｎ］
Ｗ：容器の質量［ｋｇ］
Ａ：容器の底面積［ｍ２］
ε：床部材の圧壊歪［−］
Ｅ：床部材のヤング率［Ｎ／ｍ２］
Ｌ：床部材の厚さ［ｍ］
δ：床部材の変形量［ｍ］
Ｖ：容器が床面に異常着床時する速度［ｍ／ｓ］
Ｋ：床部材のばね定数［Ｎ／ｍ］
【００３０】
数式（７）から、異常着床の際に容器に生じる加速度は、容器の底面積に比例し、容器の質量に反比例することが分かる。このことから、ある重量の容器とある条件を有する床面とが軸方向で衝突する場合に、容器の底面積を小さくする方が、容器に生じる加速度が小さくなり、容器内部に装荷された使用済核燃料等の放射線物質に与える損傷を小さくすることができる。
【００３１】
図１は、本発明の一実施形態に係る放射性物質の輸送兼貯蔵容器の軸方向断面を示す概略図である。
【００３２】
図１に示すように、本実施形態に係る放射性物質の輸送兼貯蔵容器１（以下、容器１と記す）は、内胴部１０と外胴部１９との間にガンマ線遮蔽層２０及び中性子遮蔽層２１が設けられている容器１であり、内胴部１０の一端面に内胴部１０と同心に固定されている底板１１と、内胴部１０の頭部に溶接固定されるフランジ１７と、フランジ１７に着脱可能に嵌合固定される一次蓋１５ａとを有しており、これらにより放射性物質が収められる収容空間２２が形成されている。
【００３３】
また、一次蓋１５ａの軸方向外側には、頭部中性子遮蔽層１６を内部に有する二次蓋１５ｂがフランジ１７に対して着脱可能に嵌合固定され、さらに、二次蓋１５ｂの軸方向外側には、三次蓋１５ｃがフランジ１７に対して着脱可能に嵌合固定されている。
【００３４】
ここで、底板１１の外径は、内胴部１０の内径よりも大きく、外胴部１９の外径よりも小さい。底板１１の外径が、内胴部１０の内径よりも大きいため、容器１と床面とが軸方向で衝突する場合、内胴部１０を底板１１で効果的に支持することができる。また、筒状のサポート部１２が、内胴部１０と同心に底板１１から内胴部１０と反対方向へ延設されており、サポート部１２の容器１の軸方向の外側（底面側）端面１２ａにおけるサポート部１２の外径は、外胴部１９の外径よりも小さい。これにより、底板１１及びサポート部１２の外周部における、放射線の遮蔽目的としては過剰な金属部材が除かれた形状となっている。
【００３５】
また、サポート部１２の内径は、内胴部１０の外径よりも小さく内胴部１０の内径と同じで、サポート部１２の外径は、ガンマ線遮蔽層２０の内径よりも大きくガンマ線遮蔽層２０の外径と同じとなっている。ここで、サポート部１２は、異常着床の場合に容器１本体の衝撃荷重に耐える必要がある。仮に、サポート部１２の内径が、内胴部１０の外径と同じか或いはそれより大きい場合、放射性物質を収納した内胴部１０に生じる慣性力を支持することができない。また、仮に、サポート部１２の外径が、ガンマ線遮蔽層２０の内径より小さい場合は、ガンマ線遮蔽層２０に生じる慣性力を支持することができない。ガンマ線遮蔽層２０は、比較的密度の高い材料であるため大きな慣性力が生じるためである。したがって、本サポート部１２のような構造とすることで、内胴部１０及び比較的密度の高いガンマ線遮蔽層２０を効果的に支持することが可能となる。
【００３６】
また、サポート部１２の内部には、サポート部１２の内径と同一の外径を有している板状の底部中性子遮蔽層１３と底部中性子遮蔽層カバー１４とが底板１１側からこの順に収められている。
【００３７】
また、容器１の軸方向における底部中性子遮蔽層カバー１４の外側（底面側）の端面位置は、サポート部１２の端面位置に対して凹んだ位置にあるため、サポート部１２の端面を下にして、容器１を、その軸方向と床面とが直交するように設置した場合には、サポート部端面１２ａのみが床面と接触することになる。これにより、底部中性子遮蔽層カバー１４の外側（底面側）端面とサポート部１２の端面が同一平面上にある場合に比べて、容器１の底面と床面との接地底面積が小さくなり、容器１と床面とが軸方向で衝突する場合の衝撃を緩和することができる。
【００３８】
ここで、底板１１及び頭部中性子遮蔽層１６を除いた二次蓋１５ｂは炭素鋼部材で、一次蓋１５ａはステンレス鋼部材であり、主にガンマ線遮蔽材として機能する。また、サポート部１２、外胴部１９、及び底部中性子遮蔽層カバー１４は炭素鋼部材で、三次蓋１５ｃはステンレス鋼部材である。また、ガンマ線遮蔽層２０に用いられるガンマ線遮蔽材は、鉛が用いられている。
【００３９】
尚、ガンマ線遮蔽層２０に用いられるガンマ線遮蔽材としては、比較的高密度の材料が有効であることから、鉛、鉛合金、鉄、炭素鋼、ステンレス鋼などが有効である。また、一次蓋１５ａや三次蓋１５ｃの材質は、例えば、炭素鋼としてもよく、サポート部１２の材質は、炭素鋼、ステンレス鋼等、構造強度上、問題のない金属材料であればよい。
【００４０】
また、中性子遮蔽層２１、頭部中性子遮蔽層１６、及び底部中性子遮蔽層１３に用いられる中性子遮蔽材は、単位体積当たりの水素含有率が、内胴部１０、一次蓋１５ａ、底板１１などの部材よりも大きく、より詳細には、エチレンプロピレン系ゴムである。
【００４１】
以上のような構成とすることで、容器１の重量増加につながる金属部材を少なくすることができるので軽量化が図られ、且つ、底面積を小さくすることで、容器１と床面とが軸方向で衝突する場合の衝撃を緩和することができる。このため、容器１内部の放射性物質の損傷を少なくすることができる。
【００４２】
また、容器１の底部が平面である場合には、凹凸がある床面への設置を安定させるのが容易でない場合もある。これに対して、本実施形態に係る容器１を用いた場合には、底部中性子遮蔽層カバー１４の外側端面とサポート部１２の端面が同一平面上にある場合に比べて、凹凸がある床面への設置が安定する。
【００４３】
次に、図２は、図１に示す放射性物質の輸送兼貯蔵容器１（容器１）のＡ−Ａ断面図である。図３は、図２に示すＡ−Ａ断面図のＸ部拡大図である。
【００４４】
図２に示すように、ガンマ線遮蔽層２０は、容器１の周方向に複数に分割されたブロック体７４で形成され、中性子遮蔽層２１も同様に、容器１の周方向に複数に分割されたブロック体７３で形成されている。また、互いに周方向で隣接するブロック体７３、７４同士の間に熱良導体７２が挟まれている。
【００４５】
熱良導体７２は、銅やアルミ等の熱伝導性に優れた金属の薄板を断面Ｌ字形に曲げ加工した容器１の軸方向に長手方向を有する比較的長尺の形材であって、Ｌ字形の辺部７１が内胴部１０の外周面に周方向に所定間隔で隣接配置されるとともに、その裏面が内胴部１０の外周面に圧接するように、他方の辺部７２の先端が外胴部１９の内周面に溶接されている。このように熱良導体７２を取り付けることで、内胴部１０の熱は熱良導体７２を通って外胴部１９へ効率良く伝熱されるとともに、外胴部１９より外部へ放熱される。尚、辺部７１の裏面は、内胴部１０の外周面に圧接するように設けられる以外に、ボルトやロー付け等の手段によって密着するように取り付けてもよい。
【００４６】
ガンマ線遮蔽層２０は、ガンマ線の遮蔽に必要な厚さの鉛製の複数のブロック体７４に形成され、その断面形状は、内胴１０の外周面に沿う形状であるとともに、内胴部１０と外胴部１９との間であって内胴部１０の外周面寄りに挿入されている。
【００４７】
また、中性子遮蔽層２１は、中性子の遮蔽に必要な長さのエチレンプロピレン系ゴム製の複数のブロック体７３に形成され、その断面形状は、外胴部１９の内周面に沿う形状であるとともに、ガンマ線遮蔽層２０と外胴部１９との間に挿入されている。
【００４８】
このように、ガンマ線遮蔽層２０及び中性子遮蔽層２１を、複数のブロック体とすることで、従来のような遮蔽層を形成するための鋳込み作業が不要となり、構造が簡略化される。
【００４９】
よって、複数のブロック状に形成されるガンマ線遮蔽層２０及び中性子遮蔽層２１を、容器１本体の製造とは別工程で、並行して製造することができ、製造時間の短縮が可能となる。尚、従来の容器では、特に中性子遮蔽層を容器本体に鋳込むことにより製造されることが多く、このような並行作業を行うことができなかった。また、容器１の使用期間が終わった際には、ブロック状に形成された遮蔽層を容易に取り除くことができ、解体及びリサイクルが容易である。
【００５０】
図４は、容器１の周方向及び軸方向の両方向に複数に分割されたブロック体９１、９２及び９２ａを示す図である。ここで、図４（ａ）は、ブロック体同士の当接面が傾斜面の場合の図であり、図４（ｂ）及び図４（ｃ）は、ブロック体同士の当接面が凹凸面の場合の図である。
【００５１】
図４に示すように、ガンマ線遮蔽層２０及び中性子遮蔽層２１は、容器１の周方向及び軸方向の両方向に複数に分割されたブロック体９１、９２、９２ａなどのように形成されていても良い。この場合、上記ブロック体７３、７４に比較して長さが短くなることから、ブロック体の製造がより容易になるとともに、容器１への取り付けもし易くなる。
【００５２】
尚、容器１の軸方向の当接面は、放射線のストリーミングを防止するため、図４（ａ）に示すような傾斜面８１や、図４（ｂ）及び図４（ｃ）に示すような階段状の凹凸面８２、８２ａのように形成する必要がある。これは、ガンマ線や中性子等の放射線は、容器１の径方向に放射状に放出されるので、ブロック体同士の当接面をできるだけ径方向に放射する放射線上に重ならないようにするためである。
【００５３】
ここで、本実施形態に係る容器１のガンマ線遮蔽層２０及び中性子遮蔽層２１は、上記のように、いずれも複数のブロック体状に形成されているが、この構造に限られるものではなく、例えば、ガンマ線遮蔽層２０形成については鉛の鋳込み等により形成されてもよい。
【００５４】
次に、図５は、図１に示す放射性物質の輸送兼貯蔵容器１（容器１）に緩衝体５０、５１を取り付けた状態を示す軸方向断面の概略図である。尚、同一部材には同一符号を付してその説明を省略する。
【００５５】
図５に示すように、容器１には、サポート部１２の端面１２ａとサポート部１２の端面近傍に係る外周面１２ｂとを覆う環状の底部緩衝体５０が、底部中性子遮蔽層カバー１４に対して軸方向に着脱可能に固定されている。また、同様に、三次蓋１５ｃの端面とフランジ１７の外周面とを覆う環状の頭部緩衝体５１が、フランジ１７に対して軸方向に着脱可能に固定されている。
【００５６】
また、底部緩衝体５０の径方向内側であって、底部サポート部１２の端面１２ａ及び底部中性子遮蔽層カバー１４に当接する部分には、固定具６３が設けられており、その固定具と底部中性子遮蔽層カバー１４とが、スペーサー６１を介してボルト６２によって固定されている。また、頭部緩衝体５１は、ボルト（不図示）によりフランジ１７に対して固定されている。
【００５７】
このように底部緩衝体５０及び頭部緩衝体５１を容器１に装着することにより、陸上、海上輸送時に容器１を衝撃から保護することができる。
【００５８】
ここで、底部緩衝体５０は、サポート部１２の外周面１２ｂに当接して装着されている。これは、底部緩衝体５０が、中性子遮蔽材が収納されている外胴部１９に当接して装着されると、その部分は比較的板厚の薄い外筒であるため、落下事象の荷重を受けることが難しいためである。緩衝体の受圧領域が小さいと緩衝体のつぶれ代が大きくなり、場合によっては、ハンドリング用のトラニオン２３に当たるまで緩衝体が変形してしまう可能性がある。よって、緩衝体の適切な取り付けのために十分な取付代を有する構造にすることが望ましい。一方、底部中性子遮蔽層カバー１４全体を大きくすると重量が非常に大きくなってしまう。したがって、サポート部１２のみを伸ばしている本発明の構造が効果的である。
【００５９】
尚、サポート部１２は、リング状に形成されるサポート部１２の部材を底板１１に溶接或いはボルトで固定してもよいし、底板１１と一体の鍛造体から機械加工して製作してもよい。また、底板１１からサポート部１２に外径が減少する領域は応力集中を防ぐためにテーパ状に傾斜をつけて徐々に径を小さくすることが望ましい。しかし、構造上問題ないのであれば、ほぼ直角に形状変形させてもよい。
【００６０】
次に、図６は、図１に示す放射性物質の輸送兼貯蔵容器１（容器１）の一変形例である放射性物質の輸送兼貯蔵容器２（容器２）の軸方向断面の概略図である。
【００６１】
尚、本変形例の容器２においては、上記の本発明の一実施形態に係る容器１の構成部材と同様の構成部材（３０、３１、３２、３３、３４、３５ａ、３５ｂ、３５ｃ、３６、３７、３９、４０、４１、４３）については、容器１の符号（１０、１１、１２、１３、１４、１５ａ、１５ｂ、１５ｃ、１６、１７、１９、２０、２１、２３）の構成部材にそれぞれ順に合致させて示しており、同様の構成部材についての説明は省略する。
【００６２】
図６は、容器３の底部に設けられているサポート部３２の内径が内胴部３０の内径より小さく、且つ、サポート部３２の外径がガンマ線遮蔽層４０の外径より大きい場合の例である。尚、底部中性子遮蔽層カバー３４の外側（底面側）の端面位置は、容器１と同様、サポート部３２の端面３２ａ位置に対して凹んだ位置にある。
【００６３】
サポート部３２の形状をこのように形成することでサポート部３２の肉厚が増す。これにより、容器１のサポート部１２と比較してサポート部の強度を上げることができる。
【００６４】
以上、本発明の実施形態について説明したが、本発明は上述の実施の形態に限られるものではなく、特許請求の範囲に記載した限りにおいて様々に変更して実施することができるものである。
【００６５】
例えば、上記の実施形態において、中性子遮蔽材としてエチレンプロピレン系ゴムを用いているが、これには限られず、水素を多く含有している物質であればよく、例えば、水、エチレングリコール水、パラフィン、シリコン系ゴム、エポキシ系樹脂、ビニルエステル系樹脂などであってもよい。また、中性子遮蔽層にボロン、カドミウムなどを含有させることで、水素との衝突により減速した中性子を吸収させることができる。
【００６６】
また、容器を容易に製作するという観点では、内胴部、外胴部、及びサポート部は円筒状のもの、また、底板は円形状のものであることが望ましいが、これらの形状が多角形状であってもよい。例えば、内胴部及び外胴部は、円筒状部材に対して切削加工などの機械加工が施され、その外周面や内周面に平面部が形成されたもの、すなわち、ほぼ円筒状のものであってもよい。また、サポート部は、四角形状など多角形状であってもよい。
【図面の簡単な説明】
【００６７】
【図１】本発明の一実施形態に係る放射性物質の輸送兼貯蔵容器の軸方向断面を示す概略図である。
【図２】図１に示す放射性物質の輸送兼貯蔵容器のＡ−Ａ断面図である。
【図３】図２に示すＡ−Ａ断面図のＸ部拡大図である。
【図４】周方向及び軸方向の両方向に複数に分割されたブロック体を示す図である。
【図５】図１に示す放射性物質の輸送兼貯蔵容器に緩衝体を取り付けた状態を示す軸方向断面の概略図である。
【図６】図１に示す放射性物質の輸送兼貯蔵容器の一変形例である放射性物質の輸送兼貯蔵容器の軸方向断面の概略図である。
【符号の説明】
【００６８】
１    放射性物質の輸送兼貯蔵容器
１０  内胴部
１１  底板
１２  サポート部
１３  底部中性子遮蔽層
１４  底部中性子遮蔽層カバー
１９  外胴部
２０  ガンマ線遮蔽層
２１  中性子遮蔽層
７０  熱良導体
７３、７４  ブロック体
９１、９２、９２ａ  ブロック体
【図１】
2008076270.tif 000003
【図２】
2008076270.tif 000004
【図３】
2008076270.tif 000005
【図４】
2008076270.tif 000006
【図５】
2008076270.tif 000007
【図６】
2008076270.tif 000008